(57)【特許請求の範囲】
【請求項１】
中央部が上方に膨出する湾曲上辺（２２）を有した一対の翼片（２１ａ，２１ｂ）を可曲性生地で形成し、この両翼片（２１ａ，２１ｂ）を平行に対設して、その湾曲上辺（２２，２２）間を連結片（２３）で連結して肩当具本体（２０）を構成し、
上記連結片（２３）は可曲性生地で形成した上側板（２３ａ）と、同じく可曲性生地で形成すると共にクッション材（２３ｃ）を有した下側板（２３ｂ）との二枚重ねの可曲性生地で構成し、この連結片（２３）は前記湾曲上辺（２２）の両端側に、肩掛けベルト（１０）の挿通用開口部（２４，２４）を設け、該肩掛けベルト（１０）は一方の挿通用開口部（２４）から前記上面板２３ａと下側板２３ｂとの間に挿入された後、他方の挿通用開口部（２４）より外方に貫出し、
上記一方の翼片（２１ａ）の下部には、係止ベルト（３１）の基端部（３２）を取り付け、他方の翼片（２１ｂ）の下部には該係止ベルト（３１）が挿通できる通孔（３２）を設け、前記係止ベルト（３１）の先端部位には一方側面ファスナー（３３ａ）を取り付け、一方の翼片（２１ａ）の上記係止ベルト（３１）の先端を前記通孔（３２）を通して折り返して重なる部位には、前記一方側面ファスナー（３３ａ）が係合できる他方側面ファスナー（３３ｂ）を取り付けてなる肩掛けベルト用肩当具。
【発明の詳細な説明】
【０００１】
【発明の属する技術分野】
本発明は、肩掛けベルト用肩当具に係り、さらに詳しくは、ショルダーバックの肩掛けベルトを肩に掛ける際に、該肩掛けベルトを使用者の体に適合させ、かつ、該肩掛けベルトのずれ落ちを防止するために使用される肩掛けベルト用肩当具に関するものである。
【０００２】
【従来の技術】
従来、ショルダーバッグの肩掛けベルトには、ずれ落ちを防ぐための「滑り止め体」を設けたものが提案されている。この滑り止め体は、肩掛けベルトを片方の肩に掛けた際、すなわち、肩掛けベルトを片方の肩に掛け、ショルダーバッグは使用者の体の該肩掛けベルトを掛けたと同じ側に提げられるようにした際に、該肩掛けベルトが肩よりずれ落ちるのを「滑り止め体」の摩擦で防止するようにしてある。また、この「滑り止め体」にクッション材を付加して、使用者の体との適合性を高めて肩よりのずれ落ちを防ぐと共に、使用時の違和感を低減させるものも提案されている。
【０００３】
しかし、最近はショルダーバッグを、その肩掛けベルトに首を通して提げる使用例が多くなっている。すなわち、図４を参照して説明すると、肩掛けベルト１０を左右片方の肩（図４の向かって左肩）に掛け、ショルダーバッグ１は使用者の体の該肩掛けベルトを掛けた肩とは反対側（同図の向かって右側）に提げられるようにしている。そして、この肩掛けベルトに首を通す使用法は、ショルダーバッグが不用意に落ちる（肩掛けベルトが肩よりずれ落ちる）ことを確実に防止でき、携帯用パーソナルコンピュータや写真機等の精密機器の収納、持ち運びに適している。この使用法は、該肩掛けベルトが使用者の首近くに当たることになり、その結果、背広を着用していると着崩れが生じやすいという問題点が指摘されている。すなわち、図４の使用例とは異なり、肩掛けベルトに首を通して提げる従来の使用法では、該肩掛けベルトは一方の肩の肩先から首元の間、言い換えると、鎖骨の上の適当な場所に位置することになり、使用中に、鞄が揺れたりして荷重が変化すると、該肩掛けベルトは次第に肩先側より首側に移動する傾向がある。
【０００４】
上記のように、肩掛けベルトが使用者の首近くに当たると、意外と大きな違和感が生ずる（携帯用パーソナルコンピュータや写真機等の精密機器は重いものが多い。）ため、呼吸が乱れるとか肩がこりやすくなるといった問題点も指摘されている。
【０００５】
【発明が解決しようとする課題】
そこで、本発明は、上記問題点に鑑みてなされたもので、肩掛けベルトに首を通して使用しても、該肩掛けベルトが首の近くには位置・圧接せず、使用者の肩の角部位に保持されて違和感が小さく、さらに、着衣の着崩れも抑止できる肩掛けベルト用肩当具を提供することを課題としたものである。
【０００６】
【課題を解決するための手段】
本発明は、上記課題を達成するため、中央部が上方に膨出する湾曲上辺２２を有した一対の翼片２１ａ，２１ｂを可曲性生地で形成し、この両翼片２１ａ，２１ｂを平行に対設して、その湾曲上辺２２，２２間を連結片２３で連結して肩当具本体２０を構成し、上記連結片２３は可曲性生地で形成した上側板２３ａと、同じく可曲性生地で形成すると共にクッション材２３ｃを有した下側板２３ｂとの二枚重ねに構成し、この連結片２３は前記湾曲上辺２２の両端側に肩掛けベルト１０の挿通用開口部２４，２４を設け、該肩掛けベルト１０は一方の挿通用開口部２４から前記上面板２３ａと下側板２３ｂとの間に挿入された後、他方の挿通用開口部２４より外方に貫出し、上記一方の翼片２１ａの下部には、係止ベルト３１の基端部３２を取り付け、他方の翼片２１ｂの下部には該係止ベルト３１が挿通できる通孔３２を設け、前記係止ベルト３１の先端部位には一方側面ファスナー３３ａを取り付け、一方の翼片２１ａの上記係止ベルト３１の先端を前記通孔３２を通して折り返して重なる部位には、前記一方側面ファスナー３３ａが係合できる他方側面ファスナー（３３ｂ）を取り付けてなることを特徴とする。
【０００７】
それ故、本発明の肩掛けベルト用肩当具は、連結片２３内を通した肩掛けベルト１０の曲率が湾曲上辺２２の曲率と同じであると、一対の翼片２１ａ，２１ｂは平行の状態（図２参照）にあるが、該肩掛けベルト１０を湾曲上辺２２の曲率より小さく、すなわち、湾曲半径を小さく湾曲させる（以下、急曲状態という）と、両翼片２１ａ，２１ｂはその自由端側を外側に広げ、該連結片２３と両翼片２１ａ，２１ｂとでカップ形状となる作用を呈する。図示してないが、連結片２３が、図１及び図２より急曲状態となると、翼片２１ａ，２１ｂは、その下端側を互いに左右方向に移動して広げ、肩当具本体２０は、お椀を伏せたようなカップ形状となるものである。
【０００８】
そして、本発明の肩掛けベルト１０に首を通してショルダーバッグ本体１を吊り下げるのは従来と同じであるが、その際、図４に示すように、本発明の肩当具本体２０内に、使用者の肩の角部を入れる。すると、本発明の肩当具本体２０には肩掛けベルト１０を介してショルダーバッグ本体１の荷重が、同図の斜め下方に加わるので使用者の肩の角部位にその位置を維持し、ショルダーバッグ本体１は使用者の肩の角に位置した上記肩当具本体２０より使用者の体を斜めに横切る肩掛けベルト１０で吊り下げられる作用を呈する。
【０００９】
本発明の肩当具本体２０が、使用者の肩の角部位より外れない限り、肩掛けベルト１０の上部湾曲折り返し部が、使用者の首側に近寄ることが防止され、使用時の違和感を低減する作用を呈し、さらに、荷重の多くが肩の角部位で受けられるので、着衣の着崩れが防止される作用を呈するものである。なお、本発明の肩当具本体２０は肩掛けベルト１０を案内として、該肩掛けベルト１０の適宜位置に摺動できる作用を呈し、使用者の好みに合わせてその最適位置を選定できる。しかし、使用時には、肩当具本体２０は、連結片２３が急曲状態となって、上側板２３ａと下側板２３ｂとでその内側を通る肩掛けベルト１０を狭圧するので、該肩当具本体２０が肩掛けベルト１０を案内にして摺動（本発明の肩当具本体２０は肩に係止・固定されているので、見かけ上は、肩掛けベルト１０が摺動）しないようにする作用を呈する。
【００１０】
【００１１】
それ故、本発明の肩掛けベルト用肩当具は、前記した作用に加え、クッション材２３ｃを設けたので、肩に加わる荷重を均一化し、違和感をより低減する作用を呈すると共に、連結片２３内を通る肩掛けベルト１０を全体的に均一に弾圧して、本発明の肩当具本体２０と肩掛けベルト１０との摩擦力を効果的に得て、使用時に両者が相互に移動しないようにする作用を呈するものである。
【００１２】
【実施例】
次に、本発明の実施例を添付図面を参照して詳細に説明する。図中、１がショルダーバッグ本体で、このショルダーバッグ本体１は従来公知なもの（学生用は無論、一般用の手提げ兼用ショルダーバッグや写真機用ショルダーケース等をも含む。）が使用される。そして、このショルダーバッグ本体１には肩掛けベルト１０が取り付けられているのも従来と同じである。
【００１３】
上記肩掛けベルト１０は、ショルダーバッグ本体１にその両端を脱着不能に取り付ける場合と、着脱可能に取り付ける場合とがあり、本発明はそのいずれでもよいが、図示例では、ショルダーバッグ本体１に一方側係止具２，２を取り付け、肩掛けベルト１０の両端には該一方側係止具２，２に着脱可能に係合する他方側係止具３，３を取り付けてある。なお、図示例では、該ベルト１０の両端部位に取り付けられる上記他方側係止具３，３は、該ベルト１０を挿通できる窓孔部３ａを設けてあり、該他方側係止具３は該ベルト１０を該窓孔部３ａに通して保持され、該窓孔部３ａに挿通した該ベルト１０の先端は該ベルト１０の途中にスライド可能に設けた通常コキと称する（バックルの係止爪のないもの）連結位置調整金具４に固定され、この連結位置調整金具４の位置移動で肩掛けベルト１０の全長が調整可能となる（従来公知技術）ようにしてある。
【００１４】
上記肩掛けベルト１０には、本発明の主要部である肩当具本体２０を配してある。この肩当具本体２０は、中央部が上方に膨出する湾曲上辺２２を有した一対の翼片２１ａ，２１ｂを可曲性生地で形成し、この両翼片２１ａ，２１ｂを平行に対設して、その湾曲上辺２２，２２間を連結片２３で連結して構成してある。該翼片２１ａ，２１ｂは、一般的には、皮革や皮革類似品で製造されるが可曲性のものであれば、布地、合成樹脂や合成ゴム等を使用してもよい。
【００１５】
そして、上記連結片２３は上側板２３ａと下側板２３ｂとの二枚重ねの可曲性生地で構成し、この連結片２３は前記湾曲上辺２２の両端側に、肩掛けベルト１０の挿通用開口部２４，２４を設けてある。上記挿通用開口部２４，２４は図３の左右両側に設けられ、肩掛けベルト１０は一方の挿通用開口部２４から上側板２３ａと下側板２３ｂとの間に挿入された後、他方の挿通用開口部２４より外方に貫出している。
【００１６】
図示してないが、上記肩掛けベルト１０は、そのショルダーバッグ本体１を介装してループ状となった部位に、使用者が首と片方の腕とを通し、該肩掛けベルト１０が使用者の片方の肩から使用者の体を斜めに横切り、ショルダーバッグ本体１は使用者の体の該肩掛けベルト１０を掛けた肩側とは反対側に吊り下げられるようにしてあるのは従来の一般的なショルダーバッグと同じである。そして、従来の肩掛けベルトは、その上端が使用者の肩の首から肩先の間の適宜部位に当接する状態で使用され、使用中にはショルダーバッグ本体１の荷重で、該肩掛けベルト１０に使用者の首の反対側斜め下方に引く力が加わるので、該肩掛けベルト１０は使用にともなって順次首に近づこうとする。従って、この肩掛けベルト１０の移動で、着衣が着崩れする大きな原因となり、また、肩掛けベルト１０が首に圧接すると、首で相応の荷重を受けることになり、大きな違和感が生じたり、肩こりの要因にもなるとされている。
【００１７】
そこで、本発明では、肩当具本体２０内に使用者の肩を入れて、肩掛けベルト１０が使用者の肩の角部位から斜め下方に向かうようにして使用する。すると、該肩当具本体２０は肩の角部位をその内側に包み込んでいるので、斜め下方への荷重が加わってもその位置を変位することはなく、前記したような着衣の着崩れを防ぎ、肩掛けベルト１０の首への圧接も防止できるので、使用に際しての違和感もなく、肩こり等の原因になりづらい肩掛けベルト用肩当具を提供できるものである。
【００１８】
なお、上記肩掛けベルト１０は、単に連結片２３内を挿通しているので、肩当具本体２０は該肩掛けベルト１０を案内にして摺動可能であり、該肩掛けベルト１０に対してその取り付け位置を自由に選定できる。しかし、この肩当具本体２０が摺動自在であると、使用時にショルダーバッグ本体１が揺れると、固定された肩当具本体２０に対して肩掛けベルト１０が移動し、該肩掛けベルト１０の移動で衣服を移動させて着崩れの原因ともなる。しかし、本発明では、使用時に連結片２３を急曲状態とするので、該連結片２３の上側板２３ａと下側板２３ｂとでその内側を通る肩掛けベルト１０を狭圧して移動を防止し、着崩れが生じづらい肩掛けベルト用肩当具を提供できるものである。
【００１９】
次に、本発明の第２実施例について説明する。.本発明は、中央部が上方に膨出する湾曲上辺２２を有した一対の翼片２１ａ，２１ｂを可曲性生地で形成し、この両翼片２１ａ，２１ｂを平行に対設して、その湾曲上辺２２，２２間を連結片２３で連結して肩当具本体２０を構成してなるのは請求項１と同じ構成である。
【００２０】
そして、本発明の上記連結片２３は可曲性生地で形成した上側板２３ａと、同じく可曲性生地で形成すると共にクッション材２３ｃを有した下側板２３ｂとの二枚重ねの可曲性生地で構成し、この連結片２３は前記湾曲上辺２２の両端側に、肩掛けベルト１０の挿通用開口部２４，２４を設けてある。すなわち、下側板２３ｂにクッション材２３ｃを設けている。このクッション材２３ｃは、主として使用者の肩に緩衝材として機能させることを主たる目的としているのは従来のこの種の部位にクッション材を配するのと同じである。しかし、本発明では、このクッション材２３ｃが、連結片２３内を通る肩掛けベルト１０にも作用し、この肩掛けベルト１０を全体的に均一に弾圧して、滑り止め機能を増加させることをも目的としたものである。
【００２１】
図示例において、上記下側板２３ｂは、下面生地２３ｂ１と中生地２３ｂ２とで袋状に構成し、該下面生地２３ｂ１と中生地２３ｂ２との中にクッション材２３ｃを被包して構成してある。この中生地２３ｂ２は省略してもよいが、樹脂繊維等を使用した強靱ではあるが薄くて柔軟性に富んだものを使用するとよく、又は、織り方によって表面が摩擦抵抗を大きくしたり、縦糸又は緯糸の一方又は双方に摩擦抵抗の大きいゴム材等を含んだ糸を使用して織ったものを使用すると、使用時に肩掛けベルト１０と肩当具本体２０との一体性がより保たれ、ショルダーバッグ本体１が揺れて（図４において、ショルダーバッグ本体１の手前側が上下に、奥側がその反対側に揺れる場合を意味する。）ても、肩掛けベルト１０が動いて使用者の衣服がずれて、着崩れすることが確実に防止されるものである。
【００２２】
なお、図示例では両翼片２１ａ，２１ｂの下部の自由端側を閉じ合わせて係止できるようになしている。最近、ショルダーバッグのショルダー帯を握持して手に提げて携行する人もおり、本発明では、上記肩当具本体２０を、場合によっては握持ハンドルとしても使用可能としたもので、両翼片２１ａ，２１ｂの下部を係合具３０で着脱可能に係止することで、カップ部２０が筒状の握持部としても使用できるようにしたものである。この係合具の一例としては、図３に最も明らかに示すように、上記一方の翼片２１ａの下部には、係止ベルト３１の基端部を取り付け、他方の翼片２１ｂの下部には該係止ベルト３１が挿通できる通孔３２を設け、前記係止ベルト３１の先端部位には一方側面ファスナー３３ａを取り付け、一方の翼片２１ａの上記係止ベルト３１の先端を前記通孔３２を通して折り返して重なる部位には、前記一方側面ファスナー３３ａが係合できる他方側面ファスナー３３ｂを取り付けてある。
【００２３】
【発明の効果】
本発明によれば、ショルダー用の肩掛けベルト１０を肩の角に掛けるという、従来にない使用法を伴う提案により、大きな荷重によっても違和感の少ない、かつ、着衣の着崩れの少ないショルダーバッグの肩掛けベルトを提供できるものである。
【図面の簡単な説明】
【図１】  本発明ショルダーバッグの肩掛けベルトの一実施例を着装したショルダーバッグの部分正面図である。
【図２】  側面図である。
【図３】  要部の部分断面正面図である。
【図４】  使用状態の一例を示す正面図である。
【符号の説明】
１      ショルダーバッグ本体
２      一方側係止具
３      他方側係止具
１０      肩掛けベルト
２０      肩当具本体
２１ａ    翼片
２１ｂ    翼片
２２      湾曲上辺
２３      連結片
２３ａ    上側板
２３ｂ    下側板
２３ｃ    クッション材
３１      係止ベルト
３２      通孔
３３ａ    一方側面ファスナー
３３ｂ    他方側面ファスナー
【図１】
0003763798.tif 000002
【図２】
0003763798.tif 000003
【図３】
0003763798.tif 000004
【図４】
0003763798.tif 000005